(57)【要約】【課題】フード部の着脱が容易で、所望のグレアカット角を確保しつつ、照明器具の見栄えの悪化、他の部材への干渉及び光束の低下を抑制する。【解決手段】光源部２０、及び、内部に光源部２０が配置され、光源部２０からの光を出射する前方開口部１１１を有する器具本体部１０を備える灯体２と、前方開口部１１１内に配置されたフード部３とを備え、フード部３は、略同心状に配置された複数の筒状部３１０であって、各々の中心軸が前方開口部１１１からの光の出射方向に略平行になるように配置された複数の筒状部３１０と、各々が、複数の筒状部３１０のうち隣り合う２つの筒状部３１０を連結する複数の仕切り壁３２０であって、略等間隔に配置された複数の仕切り壁３２０とを備える。【選択図】図１
2017033804.tif 000002
【特許請求の範囲】
【請求項１】
光源部、及び、内部に前記光源部が配置され、前記光源部からの光を出射する開口部を有する器具本体部を備える灯体と、
前記開口部内に配置されたフード部とを備え、
前記フード部は、
略同心状に配置された複数の筒状部であって、各々の中心軸が前記開口部からの光の出射方向に略平行になるように配置された複数の筒状部と、
各々が、前記複数の筒状部のうち隣り合う２つの筒状部を連結する複数の仕切り壁であって、略等間隔に配置された複数の仕切り壁とを備える
照明器具。
【請求項２】
前記複数の筒状部の形状は、円筒状であり、
前記複数の仕切り壁は、前記複数の筒状部の中心軸を中心とする放射状に延在している
請求項１に記載の照明器具。
【請求項３】
前記複数の仕切り壁は、前記出射方向に略平行である
請求項１又は２に記載の照明器具。
【請求項４】
前記複数の筒状部の光出射側の端面、及び、前記器具本体部の前記開口部の端面は、略面一である
請求項１〜３のいずれか１項に記載の照明器具。
【請求項５】
前記フード部は、弾性変形する材料から形成され、
前記フード部の光出射側の端面は、前記光源部側に凹んでいる
請求項１〜３のいずれか１項に記載の照明器具。
【請求項６】
前記複数の筒状部のうち内側の一の筒状部の高さは、最外の筒状部の高さより低く、
前記複数の仕切り壁のうち内側の一の仕切り壁の高さは、最外の仕切り壁の高さより低い
請求項５に記載の照明器具。
【請求項７】
前記複数の筒状部の各々の高さは、内側の筒状部である程、低く、
前記複数の仕切り壁の各々の高さは、内側の仕切り壁である程、低い
請求項６に記載の照明器具。
【請求項８】
前記フード部の光出射側の端面は、中心に向かって傾斜している
請求項５〜７のいずれか１項に記載の照明器具。
【請求項９】
前記フード部の光出射側の端面の傾斜角は、一定、又は、連続的に変化している
請求項８に記載の照明器具。
【請求項１０】
前記灯体は、さらに、前記開口部の内部に設けられた被係止部を有し、
前記フード部は、
弾性変形する材料から形成され、
さらに、前記フード部の外周面から外方に突出し、前記被係止部に係止された鍔部を備える
請求項１〜９のいずれか１項に記載の照明器具。
【発明の詳細な説明】
【技術分野】
【０００１】
本発明は、照明器具に関する。
【背景技術】
【０００２】
従来の照明器具、例えば、スポットライトなどの照明器具では、エンドユーザーの要望により、付加的な部材が照明器具の照射口に取り付けられる場合がある。例えば、特許文献１には、スポットライトの照射口に取り付け、取り外し可能な筒状のフードが開示されている。また、特許文献２には、照射口に取り付けられる筒状の集光装置が開示されている。
【０００３】
また、スポットライトに限らず、ダウンライトなどの照明器具に対しても、同様の付加的な部材が取り付けられる場合がある。ところで、ダウンライトには、特許文献３に示すように、器具本体内で灯具が回動可能で、光の出射方向を変更することができるダウンライトが知られている。
【先行技術文献】
【特許文献】
【０００４】
【特許文献１】特開２０１２−６４３２５号公報
【特許文献２】特開２０１４−４４８２７号公報
【特許文献３】特開２０１３−４５７１１号公報
【発明の概要】
【発明が解決しようとする課題】
【０００５】
筒状のフードなどは、照明器具のグレアの抑制を目的として利用される場合がある。しかしながら、充分なグレアカット角を実現するためには、フードの長さが長くなる。このため、フードが器具本体から大きく突出し、器具全体が大きくなって見栄えが悪くなるという問題がある。
【０００６】
見栄えの悪化を抑制するためには、フードを短くすることが考えられる。フードを短くしてグレアを抑制するためには、フードの内径を小さくする必要がある。この場合、フードの開口面積（すなわち、光出射面の面積）が小さくなり、照明器具の光束が低下する。
【０００７】
また、フードは、付加的な部材であるので、照明器具の施工時に施工業者が取り付ける場合もあるが、施工後に、エンドユーザーが必要に応じて取り付け、又は、取り外す場合がある。したがって、フードは、着脱が容易であることが望まれる。
【０００８】
また、特許文献３に示すような回動可能な灯具の照射口に、長いフードを取り付けた場合には、フードが照明器具の他の部材に干渉するという問題がある。このため、灯具の回動が制限されて所望の光出射方向を実現することができない。
【０００９】
そこで、本発明は、フード部の着脱が容易で、所望のグレアカット角を確保しつつ、照明器具の見栄えの悪化、他の部材への干渉及び光束の低下を抑制することができる照明器具を提供することを目的とする。
【課題を解決するための手段】
【００１０】
上記目的を達成するため、本発明の一態様に係る照明器具は、光源部、及び、内部に前記光源部が配置され、前記光源部からの光を出射する開口部を有する器具本体部を備える灯体と、前記開口部内に配置されたフード部とを備え、前記フード部は、略同心状に配置された複数の筒状部であって、各々の中心軸が前記開口部からの光の出射方向に略平行になるように配置された複数の筒状部と、各々が、前記複数の筒状部のうち隣り合う２つの筒状部を連結する複数の仕切り壁であって、略等間隔に配置された複数の仕切り壁とを備える。
【発明の効果】
【００１１】
本発明に係る照明器具によれば、フード部の着脱が容易で、所望のグレアカット角を確保しつつ、照明器具の見栄えの悪化、他の部材への干渉及び光束の低下を抑制することができる。
【図面の簡単な説明】
【００１２】
【図１】実施の形態に係る照明器具の概観斜視図である。
【図２】実施の形態に係る照明器具の三面図である。
【図３】実施の形態に係る照明器具の一部分解斜視図である。
【図４】実施の形態に係る照明器具の一部分解斜視図である。
【図５】図２のＶ−Ｖ線における実施の形態に係る照明器具の断面図である。
【図６】図２のＶＩ−ＶＩ線における実施の形態に係る照明器具の断面図である。
【図７】実施の形態に係る本体の概観斜視図である。
【図８】実施の形態に係るフード部の概観斜視図である。
【図９】実施の形態に係るフード部の正面図である。
【図１０】図９のＸ−Ｘ線における実施の形態に係るフード部の断面図である。
【図１１】図５の一部領域（領域ＸＩ）を拡大した要部断面図である。
【図１２】実施の形態に係る照明器具のグレアカット角を説明するための断面図である。
【図１３】実施の形態の変形例に係る照明器具の一部を示す断面図である。
【発明を実施するための形態】
【００１３】
以下では、本発明の実施の形態に係る照明器具について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１４】
また、各図は、模式図であり、必ずしも厳密に図示されたものではない。また、各図において、同じ構成部材については同じ符号を付している。また、以下の実施の形態において、略平行又は略等間隔などの表現を用いている。例えば、略平行は、完全に平行であることを意味するだけでなく、実質的に平行である、すなわち、例えば数％程度の誤差を含むことも意味する。他の「略」を用いた表現についても同様である。
【００１５】
（実施の形態）
［照明器具の概要］
まず、本実施の形態に係る照明器具１の概要について説明する。
【００１６】
図１は、本実施の形態に係る照明器具１の概観斜視図である。
【００１７】
図２は、本実施の形態に係る照明器具１の三面図である。具体的には、図２の（ａ）〜（ｃ）はそれぞれ、照明器具１の正面図、側面図、上面図である。
【００１８】
図３は、本実施の形態に係る照明器具１の一部分解斜視図である。図３では、照明器具１が備える構成要素のうち、フード部３と、器具本体部１０に含まれる反射部材３０と、光学部材４０と、光制御部材５０とが分解されて示されている。
【００１９】
図４は、本実施の形態に係る照明器具１の一部分解斜視図である。図４では、照明器具１の構成要素のうち、フード部３と、反射部材３０と、光学部材４０と、光制御部材５０と以外の構成要素が分解されて示されている。
【００２０】
図５は、図２のＶ−Ｖ線における本実施の形態に係る照明器具１の断面図である。具体的には、図５は、照明器具１の光軸Ｊを通り、ｘｚ平面に平行な断面を示している。
【００２１】
図６は、図２のＶＩ−ＶＩ線における本実施の形態に係る照明器具１の断面図である。具体的には、図６は、照明器具１の光軸Ｊを通り、ｙｚ平面に平行な断面を示している。
【００２２】
なお、各図において、ｚ軸は、照明器具１の光軸Ｊに平行な方向を示している。具体的には、ｚ軸正方向が照明器具１の光出射方向である。ｘ軸及びｙ軸は、光軸Ｊに垂直で、かつ、互いに直交する方向である。
【００２３】
照明器具１は、所定の方向に向けて照明光を出射する。具体的には、所定の方向は光軸Ｊに沿った方向である。すなわち、本実施の形態において、照明光の出射方向はｚ軸正方向である。
【００２４】
図１及び図２に示すように、照明器具１は、灯体２と、フード部３とを備える。本実施の形態では、照明器具１は、スポットライトであり、アーム４と、電源ボックス５とを備える。照明器具１は、さらに、図５及び図６に示すように、リード線６を備える。以下では、照明器具１の各構成要素について詳細に説明する。
【００２５】
［灯体］
灯体２は、照明器具１の灯具本体であり、電源ボックス５内に収納された電源回路からの電力を受けて照明光を出射する。図１及び図２の（ａ）に示すように、灯体２の光出射側の端部には、フード部３が取り付けられている。フード部３は、図２の（ｂ）及び（ｃ）に示すように、灯体２の端部から突出しないように取り付けられている。灯体２は、フード部３を介して照明光を出射する。
【００２６】
灯体２は、図３に示すように、器具本体部１０と、光源部２０と、反射部材３０と、光学部材４０と、光制御部材５０とを備える。
【００２７】
［器具本体部］
器具本体部１０は、照明器具１の本体部であり、灯体２の外郭をなす。図３に示すように、器具本体部１０の内部には、光源部２０が配置される。器具本体部１０は、光源部２０からの光を出射する前方開口部１１１を有する。
【００２８】
本実施の形態では、図４に示すように、器具本体部１０は、セード１１０と、本体１２０と、ネジ１３０と、取付部材１４０と、接続部材１５０と、ネジ１６０と、板バネ１７０と、ネジ１８０と、ネジ１８２とを備える。
【００２９】
［セード］
セード１１０は、光源部２０が内部に配置され、光源部２０からの光を外部に出射する筒体である。図４に示すように、セード１１０は、例えば円筒体であるが、これに限らない。セード１１０は、角筒体でもよい。
【００３０】
セード１１０は、図４〜図６に示すように、前方開口部１１１、後方開口部１１２及び側方開口部１１３を備える。前方開口部１１１は、セード１１０の前方（すなわち、光出射方向（ｚ軸正方向））に位置する開口部であり、前方開口部１１１から照明光が出射される。後方開口部１１２は、セード１１０の後方（すなわち、ｚ軸負方向）に位置する開口部である。側方開口部１１３は、セード１１０の側面の後方開口部１１２寄りの位置に設けられたスリット状の開口部であり、アーム４が回動可能に配置される。
【００３１】
図５及び図６に示すように、セード１１０の内部には、光源部２０に加えて、本体１２０、反射部材３０、光学部材４０、光制御部材５０、フード部３などが配置される。
【００３２】
図５及び図６に示すように、セード１１０は、前方開口部１１１の内面に設けられた第１被係止部１１４を備える。本実施の形態では、第１被係止部１１４は凹状の形状を有し、光制御部材５０に設けられた第１係止部５５を係止する。例えば、第１被係止部１１４は、前方開口部１１１の周に沿って設けられた環状の溝である。
【００３３】
図５に示すように、セード１１０は、内部に設けられた固定部１１５を備える。固定部１１５には、本体１２０がネジ１３０によって固定される。セード１１０は、後方側が前方側より肉厚であり、固定部１１５は、当該肉厚の部分である。固定部１１５には、図５に示すように、２つのネジ穴１１６が設けられている。
【００３４】
セード１１０は、金属材料で形成される。本実施の形態では、セード１１０は、例えばアルミダイカスト工程を経て形成される。セード１１０の外表面の塗装色は、照明器具１の用途などに応じて選択されてよい。本実施の形態では、セード１１０は白色に塗装される。
【００３５】
［本体］
本体１２０は、図５及び図６に示すように、セード１１０の内部に配置され、光源部２０及びアーム４が取り付けられる部材である。本体１２０は、光源部２０から発生した熱を放熱するヒートシンクとしても機能する。以下、図４〜図６に加えて図７を用いて、本体１２０について詳細に説明する。
【００３６】
図７は、本実施の形態に係る本体１２０の概観斜視図である。図７に示すように、本体１２０は、前方側（図のｚ軸正方向）に、取付部１２１、挿通孔１２２、遮光壁部１２３及び鍔部１２４を備える。
【００３７】
取付部１２１は、光源部２０が取り付けられる部分である。取付部１２１は、光源部２０を取り付けるための平坦な面を有し、当該平坦な面を介して光源部２０から発生する熱が効率良く本体１２０に伝導される。
【００３８】
挿通孔１２２は、光源部２０に電力を供給するためのリード線６が挿通される孔である。挿通孔１２２の内径は、リード線６の外径と略同じである。これにより、挿通孔１２２から、本体１２０の後方（ｚ軸負方向）に光が漏れることが抑制される。
【００３９】
遮光壁部１２３は、図５〜図７に示すように、本体１２０の取付部１２１から前方（ｚ軸正方向）に向かって延び、かつ、光源部２０の周囲を囲む壁状部分である。遮光壁部１２３は、光源部２０から出射された光のうち、反射部材３０と本体１２０との隙間から漏れた一部の光が、本体１２０の後方、及び、反射部材３０とセード１１０との間に漏れることを抑制する。
【００４０】
鍔部１２４は、本体１２０をセード１１０に取り付けるための部分である。鍔部１２４には、２つの凹部１２５が設けられている。図４及び図５に示すように、２つのネジ１３０が、それぞれ２つの凹部１２５を介して、セード１１０の内面の固定部１１５に設けられたネジ穴１１６にねじ込まれることによって、本体１２０がセード１１０に取り付けられる。また、鍔部１２４が、本体１２０の固定部１１５と当接することによって、鍔部１２４と固定部１１５との隙間から光が後方に漏れることを抑制する。
【００４１】
図７に示すように、本体１２０は、さらに、後方側に、放熱部１２６を備える。放熱部１２６は、光源部２０から発生した熱を放熱するための部分である。放熱部１２６は、アーム支持部１２７を備える。
【００４２】
アーム支持部１２７は、アーム４を支持する部分である。本実施の形態では、アーム支持部１２７の横断面の形状は、図６に示すように略半円形状であり、アーム４の他端部４０３の形状に対応している。また、アーム支持部１２７は、２つのネジ穴１２７ａ（図７参照）と、ネジ穴１２７ｂ（図６参照）とを有する。
【００４３】
また、図５及び図６に示すように、本体１２０は、挿通路１２８を備える。
【００４４】
挿通路１２８は、本体１２０を貫通し、リード線６が挿通される部分である。本実施の形態では、挿通路１２８は、アーム支持部１２７から見て光源部２０の光軸Ｊに略垂直な方向（図のｙ軸方向）に配置される貫通孔である。挿通路１２８は、アーム支持部１２７から光軸Ｊに略垂直な方向に延び、本体１２０のｙ軸負方向（図６における下側）において、光軸Ｊ方向に内径が徐々に拡大されている。挿通路１２８のアーム４側の開口部は、アーム４の他端部４０３と対向する位置に配置される。
【００４５】
なお、本実施の形態では挿通路１２８は、光軸Ｊに略垂直な方向に延びる貫通孔であるが、挿通路１２８の構成はこれに限定されない。挿通路１２８は、屈曲又は湾曲していてもよいし、光軸Ｊと垂直でなくてもよい。また、挿通路１２８は、光軸Ｊ付近を通らなくてもよい。
【００４６】
本体１２０は、金属材料で形成される。本実施の形態では、本体１２０は、例えばアルミダイカスト工程を経て形成される。
【００４７】
［取付部材］
取付部材１４０は、光源部２０を本体１２０に取り付けるための部材である。図４に示すように、取付部材１４０は、規制部１４２及び第２係止部１４４を備える。
【００４８】
規制部１４２は、光源部２０の光軸Ｊに垂直な方向（ｘ軸方向及びｙ軸方向）の位置を規制する。規制部１４２は、中央に開口部を有する矩形枠状の形状を有する。規制部１４２の中央に形成された開口部は、光源部２０に対応する形状を有し、当該開口部に光源部２０が配置される。
【００４９】
取付部材１４０は、本体１２０の取付部１２１に配置され、接続部材１５０及びネジ１６０によって、本体１２０に固定される。より具体的には、取付部材１４０の規制部１４２には、貫通孔１４６が形成されており、ネジ１６０を、貫通孔１４６を介して本体１２０に形成されたねじ穴（図示せず）にねじ込むことにより、取付部材１４０が本体１２０に対して固定される。これにより、取付部材１４０及びその開口部に配置された光源部２０が本体１２０に固定される。
【００５０】
第２係止部１４４は、反射部材３０を支持するため爪状の部分であり、図５に示すように、反射部材３０の第２被係止部３１を係止する。本実施の形態では、取付部材１４０は、２つの第２係止部１４４を備える。第２係止部１４４は、略Ｌ字型の形状を有しており、第２係止部１４４の端部の光軸Ｊから離れる向きに突出した傾斜面（突起）が、第２被係止部３１に挿入されることにより、第２係止部１４４が第２被係止部３１を係止する。
【００５１】
取付部材１４０は、例えば、ポリブチレンテレフタレート（ＰＢＴ）、ポリカーボネートなどの樹脂材料を用いて形成することができる。
【００５２】
［接続部材］
接続部材１５０は、光源部２０へ電流を供給する配線（図示せず）が接続される部材である。本実施の形態では、器具本体部１０は、図４に示すように、２つの接続部材１５０を備える。２つの接続部材１５０のうちの一方には高電位側の配線が接続され、他方には低電位側の配線が接続される。接続部材１５０には、光源部２０へ電流を供給する電極（不図示）が設けられている。当該電極が光源部２０に形成された電極端子に接続される。
【００５３】
また、接続部材１５０は、光源部２０の位置を規制する機能も有する。接続部材１５０には、ネジ１６０が貫通する貫通孔が形成されており、当該貫通孔に挿入されたネジ１６０によって、接続部材１５０が本体１２０及び取付部材１４０に固定される。その際、接続部材１５０の一部が光源部２０を本体１２０に向けて押さえることにより、光源部２０の光軸方向（ｚ軸方向）における位置を規制する。
【００５４】
接続部材１５０の筐体は、例えば、ＰＢＴ、ポリカーボネートなどの樹脂材料を用いて形成することができる。また、接続部材１５０の電極は、銅などの導電性部材を用いて形成することができる。
【００５５】
［板バネ］
板バネ１７０は、アーム４を本体１２０に対して回動自在に取り付けるための弾性部材である。本実施の形態では、板バネ１７０は、図４に示すように略Ｃ字型の平面視形状を有している。板バネ１７０の略Ｃ字型の先端部分には、２つの貫通孔１７１が設けられ、根元部分には、１つの貫通孔１７２が設けられている。
【００５６】
板バネ１７０は、本体１２０とともに、アーム４の他端部４０３を挟んだ状態で、２つのネジ１８０及びネジ１８２によって本体１２０に固定される。具体的には、２つのネジ１８０は、２つの貫通孔１７１に挿通されて、本体１２０のネジ穴１２７ａにねじ込まれる。ネジ１８２は、貫通孔１７２に挿通されて、本体１２０のネジ穴１２７ｂにねじ込まれる。これにより、アーム４が本体１２０に取り付けられる。
【００５７】
アーム４の他端部４０３は、板バネ１７０と本体１２０とで挟まれた状態であるため、アーム４は、他端部４０３を中心として本体１２０に対して回動自在である。また、アーム４を回動するために要するトルクは、板バネ１７０を本体１２０に固定するネジ１８２のねじ込み量の調整により調整可能である。ネジ１８２は、照明器具１を組み立てた状態で、セード１１０の側方開口部１１３からドライバーによって調整できる位置に配置される。これにより、ユーザが、照明器具１を分解することなく、アーム４を回転するために要するトルクを調整できる。
【００５８】
板バネ１７０は、例えば金属材料で形成される。本実施の形態では、板バネ１７０は、例えば鉄で形成される。
【００５９】
［ネジ］
図４に示すように、本実施の形態に係る器具本体部１０は、２つのネジ１３０と、２つのネジ１６０と、２つのネジ１８０と、１つのネジ１８２とを備える。
【００６０】
２つのネジ１３０は、本体１２０をセード１１０に固定するための固定部材の一例である。２つのネジ１３０は、本体１２０の凹部１２５を介してセード１１０のネジ穴１１６にねじ込まれることで、本体１２０の鍔部１２４をセード１１０の固定部１１５に押さえ付けて固定する。
【００６１】
２つのネジ１６０は、２つの接続部材１５０と、取付部材１４０とを本体１２０に固定するための固定部材の一例である。２つのネジ１６０は、２つの接続部材１５０の貫通孔（図示せず）と、取付部材１４０の２つの貫通孔１４６とを介して、本体１２０の取付部１２１に設けられたネジ穴（図示せず）にねじ込まれる。
【００６２】
２つのネジ１８０及び１つのネジ１８２は、板バネ１７０を本体１２０に固定するための固定部材の一例である。２つのネジ１８０は、板バネ１７０の２つの貫通孔１７１を介して、本体１２０のネジ穴１２７ａにねじ込まれ、ネジ１８２は、板バネ１７０の貫通孔１７２を介して、本体１２０のネジ穴１２７ｂにねじ込まれる。
【００６３】
各ネジは、例えば、鉄などの金属材料又は樹脂材料から形成されるが、特に限定されない。また、各ネジの大きさ及び本数なども特に限定されない。
【００６４】
［光源］
光源部２０は、照明器具１が出射する照明光を出射する光源部である。本実施の形態では、光源部２０は、ＬＥＤ（Ｌｉｇｈｔ  Ｅｍｉｔｔｉｎｇ  Ｄｉｏｄｅ）を有する発光モジュールであって、所定の光を放射状に出射するＬＥＤ光源モジュールである。光源部２０は、例えば白色光を出射するように構成されている。光源部２０は、例えば、ＣＯＢ（Ｃｈｉｐ  Ｏｎ  Ｂｏａｒｄ）型のＬＥＤモジュールである。
【００６５】
図４に示すように、光源部２０は、基台２１と、基台２１上に実装されたベアチップ（ＬＥＤチップ）である複数のＬＥＤ２２と、ＬＥＤ２２を封止し、蛍光体を含む封止部材とを備える。なお、本実施の形態では、封止部材は全てのＬＥＤ２２を一括封止しているが、封止部材の構成はこれに限らない。ライン状に配列されたＬＥＤ２２の配列方向に沿って複数本のライン状に封止部材を形成する構成としてもよい。
【００６６】
光源部２０は、本体１２０の取付部１２１に取り付けられる。各図に示される照明器具１において、光源部２０の光軸Ｊは各図のｚ軸方向である。
【００６７】
基台２１は、複数のＬＥＤ２２を実装するための実装基板であって、例えばセラミックス基板、樹脂基板又は絶縁被覆されたメタルベース基板などである。また、基台２１は、例えば平面視において矩形である平面を有する板状であり、基台２１の底面（ｚ軸負方向側の面）が本体１２０の取付部１２１に取り付けられて固定される。
【００６８】
なお、図示しないが、基台２１には、ＬＥＤ２２（光源部２０）を発光させるための直流電力を外部から受電するための一対の電極端子（正電極端子及び負電極端子）が形成されている。
【００６９】
［反射部材］
反射部材３０は、光源部２０からの光の配光を制御する部材である。本実施の形態では、反射部材３０は、光源部２０からの光を光学部材４０に向けて反射させる。反射部材３０は、光軸Ｊが貫通する開口が形成された略筒状の形状を有する。
【００７０】
図３、図５及び図６に示すように、反射部材３０は、光源部２０からの光が入射される側（ｚ軸負方向側）の端部から、当該光が出射される側の端部に向かって内径が漸次大きくなるように形成された略筒状の形状を有する。反射部材３０の内面によって、光源部２０からの光が反射される。
【００７１】
図５に示すように、反射部材３０の外面側には、取付部材１４０の第２係止部１４４に係止される第２被係止部３１が設けられている。第２被係止部３１は、反射部材３０の外面側に立設された部材に設けられた孔である。第２被係止部３１が第２係止部１４４に係止されることにより、反射部材３０は、取付部材１４０に係止される。これにより、反射部材３０は、取付部材１４０を介して本体１２０に取り付けられる。
【００７２】
図３に示すように、反射部材３０の光出射側（ｚ軸正方向側）の端部には、３つの第３係止部３２が設けられている。第３係止部３２は、光学部材４０を係止する爪状の部分である。
【００７３】
反射部材３０は、例えばＰＢＴなど硬質の白色樹脂材料を用いて形成することができる。
【００７４】
［光学部材］
光学部材４０は、図５に示すように、反射部材３０からの光が入射される光入射面４１、及び、光入射面４１に入射した光が出射される光出射面４２を備える透光性の部材である。光学部材４０は、反射部材３０から入射された光の配光を制御して出射する機能を有してもよい。本実施の形態では、光学部材４０はフレネルレンズである。これにより、照明器具１は、出射光を集光して、スポット状の照明領域を形成することができる。
【００７５】
図３に示すように、光学部材４０には、周縁部に、３つの第３被係止部４３が設けられている。本実施の形態では、第３被係止部４３は、光学部材４０の光出射面４２に設けられた凹状の形状を有する部分である。光学部材４０の第３被係止部４３が反射部材３０の第３係止部３２に係止されることによって、光学部材４０が反射部材３０に係止される。これにより、光学部材４０は、反射部材３０及び取付部材１４０を介して本体１２０に取り付けられる。また、このように反射部材３０の光出射側の端部に光学部材４０が配置されることにより、反射部材３０から出射された光が、光学部材４０に効率良く入射される。
【００７６】
光学部材４０は、透光性材料を用いて形成されており、例えばＰＭＭＡ（アクリル）、ポリカーボネートなどの透明樹脂材料、又は、ガラス材料などの透明材料を用いて形成することができる。
【００７７】
［光制御部材］
光制御部材５０は、図５に示すように、光学部材４０から出射された光が入射される入射開口部５１と、入射開口部５１に入射された光が出射される出射開口部５２とを有する。光制御部材５０は、セード１１０の内部であって、光学部材４０の光出射面４２側に配置された略筒状の部材である。光制御部材５０は、セード１１０とは別部材である。
【００７８】
光制御部材５０は、図３、図５及び図６に示すように、入射開口部５１及び出射開口部５２の略中心を光軸Ｊが通るように配置される。また、図５及び図６に示すように、光制御部材５０の出射開口部５２の外径は、セード１１０の前方開口部１１１の内径と略等しい。これにより、セード１１０の前方開口部１１１の出射光通過領域が光制御部材５０によって削減されることを抑制できる。また、セード１１０と光制御部材５０との間からの出射光の漏れを抑制できる。
【００７９】
図５及び図６に示すように、光制御部材５０は、セード１１０の前方開口部１１１の端面近傍に、出射開口部５２が位置するように配置される。また、光制御部材５０の光軸Ｊ方向（ｚ軸方向）の長さは、光学部材４０の光出射面４２から、セード１１０の前方開口部１１１の端面までの長さに略等しい。これにより、光制御部材５０は、セード１１０の内面のうち、光学部材４０の光出射面４２の近傍から、セード１１０の前方開口部１１１の端面近傍までの部分を覆うことができる。
【００８０】
ここで、光制御部材５０の内面５３（光軸Ｊ側の面）は、例えば、黒色のグレア抑制面である。これにより、セード１１０の前方開口部１１１付近の内面におけるグレアが抑制される。
【００８１】
黒色のグレア抑制面は、例えば、黒色に塗装した面に艶消し処理を施すことにより実現できる。また、黒色のグレア抑制面は、黒色に塗装した面、又は、黒色の部材からなる面に、シボ加工を施すことによっても実現できる。さらに、光制御部材５０の内面５３におけるグレアをさらに抑制するために、図５に示すように、光制御部材５０の内面５３に段差部（バッフル）５４を設けてもよい。なお、光制御部材５０の内面は、黒色のグレア抑制面でなくてもよく、例えば、白色でもよい。
【００８２】
光制御部材５０は、図５及び図６に示すように、外周に第１係止部５５を備える。光制御部材５０は、第１係止部５５が第１被係止部１１４に係止されることにより、セード１１０の内部に保持される。本実施の形態では、第１係止部５５は、凸状の形状を有し、凹状の形状を有する第１被係止部１１４に係止される。このように、光制御部材５０は、セード１１０の前方開口部１１１に挿入するだけで簡単に取り付けることができる。
【００８３】
光制御部材５０は、さらに、被係止部５６を備える。被係止部５６は、フード部３の鍔部３３０（図８参照）が係止される部分である。具体的には、被係止部５６は、出射開口部５２の端面である。
【００８４】
光制御部材５０は、例えば、ポリカーボネート、ＰＢＴなどの樹脂材料を用いて形成することができる。このように、光制御部材５０を、樹脂材料を用いて形成することにより、光制御部材５０を容易に、かつ、低コストで製造することができる。
【００８５】
［アーム］
アーム４は、一端部４０２が電源ボックス５に接続され、かつ、他端部４０３が灯体２に接続される部材である。本実施の形態では、図４に示すように、アーム４は、アーム本体４０１と、一端部４０２及び他端部４０３とを備える。
【００８６】
他端部４０３は、互いに逆方向に突出した略円柱状の回動軸部を有する。本実施の形態では、他端部４０３は、光軸Ｊ及びアーム４の長手方向に垂直な方向に延びる略円柱状の回動軸部を備える。アーム４の他端部４０３が、板バネ１７０と本体１２０のアーム支持部１２７とで挟まれることによって、アーム４は本体１２０に回動自在に取り付けられる。以下、アーム４の詳細な構成について、図６を用いて説明する。
【００８７】
図６に示すように、アーム４の内部には、アーム４の長手方向に挿通孔４０４が形成されている。挿通孔４０４には、リード線６が挿入される。このように、リード線６が外部に露出しないため、リード線６が損傷することが抑制される。また、照明器具１の外部からリード線６が見えないため、デザイン的にも好ましい。
【００８８】
アーム４は、例えば金属材料で形成される。本実施の形態では、アーム４は、例えばアルミダイカスト工程を経て形成される。
【００８９】
［電源ボックス］
図１〜図３に示される電源ボックス５は、光源部２０に電力を供給する電源回路が内蔵された筐体である。本実施の形態では、電源ボックス５に内蔵された電源回路は、電源ボックス５の外部（例えば、商用電源）から供給された交流電力を直流電力に変換し、当該直流電力を、リード線６を介して光源部２０のＬＥＤ２２に供給する。
【００９０】
電源ボックス５の外壁部分は、金属材料、樹脂材料などから形成される。本実施の形態では、例えば、当該外壁部分は、アルミニウムで形成される。
【００９１】
［リード線］
リード線６は、光源部２０に電力を供給するための電力線である。リード線６は、図６に示すように、アーム４の挿通孔４０４及び本体１２０の挿通路１２８内に配置されている。リード線６は、電源ボックス５に内蔵された電源回路（図示せず）と、光源部２０とを電気的に接続する。リード線６は、電源回路から供給される直流電力を、光源部２０のＬＥＤ２２に供給する。リード線６は、例えば、ビニール線、エナメル線などの被覆配線である。
【００９２】
［フード部］
続いて、本実施の形態に係るフード部３について図８〜図１１を用いて説明する。
【００９３】
図８は、本実施の形態に係るフード部３の概観斜視図である。図９は、本実施の形態に係るフード部３の正面図である。図１０は、図９のＸ−Ｘ線における本実施の形態にフード部３の断面図である。図１１は、図５の一部領域（領域ＸＩ）を拡大した要部断面図である。
【００９４】
フード部３は、灯体２の光の出射方向を制御するための付加的な部材（オプション部材）である。フード部３は、灯体２とは別体であり、灯体２に対して着脱が可能である。フード部３は、いわゆるルーバーである。
【００９５】
フード部３は、図１、図５及び図６に示すように、前方開口部１１１内に配置されている。フード部３は、前方開口部１１１内に収まるように、すなわち、図２の（ｂ）及び（ｃ）に示すように、前方開口部１１１から光出射方向（ｚ軸正方向）に突出しないように配置されている。具体的には、フード部３は、扁平な筒状の部材である。例えば、フード部３の径（ｘｙ平面における径）は、フード部３の高さ（ｚ軸方向における長さ）より短い。
【００９６】
フード部３の光出射側の端面３０１は、光源部２０側に凹んでいる。フード部３の光出射側の端面３０１は、中心に向かって傾斜している。フード部３の光出射側の端面３０１の傾斜角は、一定である。
【００９７】
なお、フード部３の光入射側の端面３０１の傾斜角は、連続的に変化していてもよい。すなわち、端面３０１が滑らかな曲面でもよい。傾斜角を、端面３０１と光出射面４２（ｘｙ平面）とがなす角とする。例えば、端面３０１の傾斜角は、光出射面４２に近い程、小さくてもよい。
【００９８】
フード部３の光入射側の端面３０２は、略面一である。具体的には、複数の筒状部３１０、複数の仕切り壁３２０及び鍔部３３０の各々の光入射側の端面が略面一である。
【００９９】
図８に示すように、フード部３は、複数の筒状部３１０と、複数の仕切り壁３２０とを備える。光源部２０が出射した照明光は、複数の筒状部３１０と複数の仕切り壁３２０との間の中空空間を通って前方開口部１１１から外方に照射される。
【０１００】
本実施の形態では、フード部３は、具体的には、３つの筒状部３１１〜３１３と、６つの仕切り壁３２１と、６つの仕切り壁３２２とを備える。なお、以下の説明において、筒状部３１１〜３１３を特に区別しない場合、筒状部３１０と記載して説明する場合がある。同様に、仕切り壁３２１及び３２２を特に区別しない場合、仕切り壁３２０として説明する場合がある。
【０１０１】
図９に示すように、複数の筒状部３１０は、略同心状に配置されている。複数の筒状部３１０は、各々の中心軸が開口部からの光の出射方向（具体的には、ｚ軸正方向）に略平行になるように配置されている。つまり、筒状部３１０の筒（壁面）の延びる方向がｚ軸正方向に略平行である。具体的には、複数の筒状部３１０の各々の中心軸は、光軸Ｊに略一致する。
【０１０２】
本実施の形態では、図８及び図９に示すように、複数の筒状部３１０の形状は、円筒状である。つまり、複数の筒状部３１０は、正面視において同心円状に配置されている。なお、正面視とは、光の出射方向（ｚ軸方向）に沿って見た場合である。
【０１０３】
図９及び図１０に示すように、複数の筒状部３１０は、等間隔には配置されていない。具体的には、筒状部３１２は、最外の筒状部３１１と最内の筒状部３１３との間の中央より、最外の筒状部３１１寄りの位置に配置されている。このように、中央の筒状部３１２を最外の筒状部３１１寄りの位置に配置することで、グレアカット角を３５°以上にすることができる。
【０１０４】
ここで、図１０に示すように、筒状部３１１〜３１３の各々の内径をｒ１〜ｒ３とする。このとき、筒状部３１１と筒状部３１２との間の距離（ｒ１−ｒ２）は、筒状部３１２と筒状部３１３との間の距離（ｒ２−ｒ３）より小さい。つまり、筒状部３１２の内径ｒ２は、最内の筒状部３１３の内径ｒ３より最外の筒状部３１１の内径ｒ１に近い値である。最内の筒状部３１３の内径ｒ３は、例えば、最外の筒状部３１１の内径ｒ１の１／３より短い。中央の筒状部３１２の内径ｒ２は、例えば、最外の筒状部３１１の内径ｒ１の２／３より長い。
【０１０５】
図１０に示すように、複数の筒状部３１０のうち内側の一の筒状部３１０の高さは、最外の筒状部３１１の高さより低い。本実施の形態では、複数の筒状部３１０の各々の高さは、内側の筒状部３１０である程、低い。つまり、筒状部３１１〜３１３の各々の高さをｈ１〜ｈ３とした場合、ｈ１≧ｈ２≧ｈ３を満たす。
【０１０６】
筒状部３１１の高さｈ１は、例えば、光学部材４０の光出射面４２からセード１１０の前方開口部１１１の光出射側の端部までの長さに略等しい。
【０１０７】
筒状部３１２の高さｈ２は、例えば、筒状部３１１の光出射側の端面と筒状部３１３の光出射側の端面とを結ぶ直線と、筒状部３１２が設けられる位置（すなわち、筒状部３１２の内径ｒ２）とに基づいて決定される。具体的には、筒状部３１２の高さｈ２は、筒状部３１１〜３１３の光出射側の端面の傾斜角が略一定になるように決定される。
【０１０８】
なお、本実施の形態では、筒状部３１２の光出射側の端面（ｚ軸正方向側の端面）は、傾斜している。このため、筒状部３１２の高さｈ２は、例えば、筒状部３１２の厚み方向（例えばｘ軸方向）における中央の位置での高さとする。
【０１０９】
筒状部３１３の高さｈ３は、例えば、筒状部３１３の内径ｒ３に基づいて決定される。具体的には、所望のグレアカット角をθとしたとき、ｔａｎθ≦ｈ３／（２×ｒ２）を満たすように、内径ｒ３と高さｈ３とが決定される。
【０１１０】
複数の仕切り壁３２０は、各々が、複数の筒状部３１０のうち隣り合う２つの筒状部３１０を連結する。具体的には、仕切り壁３２１は、筒状部３１１の内面と筒状部３１２の外面とを連結する。仕切り壁３２２は、筒状部３１２の内面と筒状部３１３の外面とを連結する。
【０１１１】
複数の仕切り壁３２０は、光源部２０からの照明光の出射方向（ｚ軸正方向）に略平行である。具体的には、仕切り壁３２０は、光軸Ｊに略平行な平板である。複数の仕切り壁３２０は、複数の筒状部３１０の各々に直交するように配置されている。仕切り壁３２１は、筒状部３１１及び筒状部３１２に直交するように各々を連結する。仕切り壁３２２は、筒状部３１２及び筒状部３１３に直交するように各々を連結する。
【０１１２】
複数の仕切り壁３２０は、略等間隔に配置されている。具体的には、複数の仕切り壁３２０は、筒状部３１０の中心軸（すなわち、光軸Ｊ）を中心とする角度が、略等間隔になるように配置されている。より具体的には、図９に示すように、複数の仕切り壁３２０は、複数の筒状部３１０の中心軸（すなわち、光軸Ｊ）を中心とする放射状に延在している。
【０１１３】
本実施の形態では、６つの仕切り壁３２１が設けられているので、隣り合う仕切り壁３２１がなす角度は、約６０度である。同様に、６つの仕切り壁３２２が設けられているので、隣り合う仕切り壁３２２がなす角度は約６０度である。なお、図９に示すように、一の仕切り壁３２１と一の仕切り壁３２２とは、対となって、直線上に並んで配置されているが、これに限らない。
【０１１４】
複数の仕切り壁３２０のうち内側の一の仕切り壁３２２の高さは、最外の仕切り壁３２１の高さより低い。本実施の形態では、複数の仕切り壁３２０の各々の高さは、内側の仕切り壁３２０である程、低い。つまり、内側の仕切り壁３２２は、外側の仕切り壁３２１より低い。
【０１１５】
本実施の形態では、仕切り壁３２１及び仕切り壁３２２の光出射側の端面は、傾斜している。このため、仕切り壁３２１及び仕切り壁３２２の高さはそれぞれの平均値とする。
【０１１６】
本実施の形態において、筒状部３１０、仕切り壁３２０及び鍔部３３０の肉厚は、特に限定されないが、例えば、１．７５ｍｍである。
【０１１７】
鍔部３３０は、フード部３の外周面から外方に突出する部分である。本実施の形態では、図８及び図１０に示すように、鍔部３３０は、筒状部３１１の光入射側の端部から外方（具体的には光軸Ｊに直交する方向）に突出している。鍔部３３０は、円環状に設けられているが、これに限らない。
【０１１８】
鍔部３３０は、灯体２の前方開口部１１１の内部に設けられた被係止部５６に係止される。本実施の形態では、図５及び図１１に示すように、光制御部材５０に被係止部５６が設けられている。被係止部５６は、具体的には、光制御部材５０の光入射側の端部である。鍔部３３０が被係止部５６に係止することで、フード部３が光制御部材５０に保持される。
【０１１９】
フード部３は、遮光性を有する材料から形成される。例えば、フード部３の少なくとも表面は、黒色に着色されている。あるいは、フード部３は、いわゆる曇りガラスなどのように光散乱性を有してもよい。
【０１２０】
本実施の形態では、フード部３は、弾性変形する材料から形成される。弾性変形する材料は、例えば、シリコーンゴムなどの樹脂材料であるが、これに限定されない。フード部３は、樹脂材料を用いた射出成形により一体成形される。
【０１２１】
フード部３は、例えば、照明器具１に対して、ユーザ（又は、施工業者）が自在に着脱することができる。例えば、フード部３の光出射側の端面３０１にユーザの手のひらを当てて、前方開口部１１１内に押し込むことで、鍔部３３０が被係止部５６に係止する。このとき、フード部３は、弾性材料から形成されているので、容易に取り付けることができる。なお、押し込みによる取り付けを容易にするために、鍔部３３０の光入射側の角を丸くしてもよい。
【０１２２】
また、フード部３を照明器具１から取り外す場合は、ユーザが筒状部３１０又は仕切り壁３２０を指でつまむことで、フード部３は容易に変形する。これにより、フード部３をつまんで前方開口部１１１から引き出すことで、容易に取り外すことができる。
【０１２３】
［効果など］
図１２は、本実施の形態に係る照明器具１のグレアカット角を説明するための断面図である。
【０１２４】
グレアカット角は、ユーザが照明器具１を見たときに、照明光が直接見えない範囲を示す角度である。グレアカット角は、例えば、照明器具１が天井に取り付けられて直下方向を照射する場合において、ユーザが照明器具１を見たときの仰角で表される。
【０１２５】
図１２に示すように、光学部材４０の光出射面４２のうち筒状部３１３の筒内に露出した部分は、照明器具１の直下方向を含む範囲（目視可能範囲２００）からは目視により確認できる。一方で、光学部材４０の光出射面４２のうち筒状部３１３の筒内に露出した部分は、照明器具１の斜め側方を含む範囲（目視不可範囲２１０）からは目視により確認することができない。目視可能範囲２００と目視不可範囲２１０との境目に相当する仰角がグレアカット角であり、図１２に示す例では３５度である。具体的には、図１２に示すように、グレアカット角は、筒状部３１３の内面と光出射面４２との接点と当該接点から最も離れた筒状部３１３の光出射側の端面とを結ぶ直線と、光出射面４２とのなす角度である。
【０１２６】
なお、図１２では、説明を分かりやすくするために、光出射面４２のうち筒状部３１３の筒内に露出した部分について説明したが、光出射面４２のその他の部分についても同様である。例えば、筒状部３１１の内面と筒状部３１２の外面と隣り合う２つの仕切り壁３２１との間の空間に露出した部分、あるいは、筒状部３１２の内面と筒状部３１３の外面と隣り合う２つの仕切り壁３２２との間の空間に露出した部分についても、同様である。
【０１２７】
本実施の形態に係るフード部３によれば、グレアカット角は３５度以上であり、それ以下の仰角で照明器具１を見た場合には、いずれの部分に露出した光出射面４２も見ることはできない。よって、グレアの発生を抑制することができる。
【０１２８】
以上のように、本実施の形態に係る照明器具１は、光源部２０、及び、内部に光源部２０が配置され、光源部２０からの光を出射する前方開口部１１１を有する器具本体部１０を備える灯体２と、前方開口部１１１内に配置されたフード部３とを備える。フード部３は、略同心状に配置された複数の筒状部３１０であって、各々の中心軸が前方開口部１１１からの光の出射方向に略平行になるように配置された複数の筒状部３１０と、各々が、複数の筒状部３１０のうち隣り合う２つの筒状部３１０を連結する複数の仕切り壁３２０であって、略等間隔に配置された複数の仕切り壁３２０とを備える。
【０１２９】
これにより、複数の筒状部３１０と複数の仕切り壁３２０とによって、フード部３の高さ（光出射方向への長さ）を高くすることなく、所望のグレアカット角を確保することができる。したがって、フード部３が器具本体部１０の前方開口部１１１から突出する量を抑えることができ、照明器具１の見栄えの悪化を抑制することができる。すなわち、照明器具１のデザイン性が損なわれるのを抑制することができる。また、フード部３の高さが抑えられるので、他の部材への干渉及び光束の低下を抑制することができる。
【０１３０】
また、例えば、ユーザ（又は施工業者）が手のひらなどでフード部３を押し込むだけで、フード部３を灯体２に簡単に取り付けることができる。フード部３の高さが抑えられるので、押し込む力が分散されにくく、容易に取り付けることができる。また、複数の筒状部３１０及び複数の仕切り壁３２０の１つを掴んで引っ張ることで、容易に取り外すことができる。
【０１３１】
このように、本実施の形態に係る照明器具１によれば、フード部３の着脱が容易で、所望のグレアカット角を確保しつつ、照明器具１の見栄えの悪化、他の部材への干渉及び光束の低下を抑制することができる。
【０１３２】
また、例えば、複数の筒状部３１０の形状は、円筒状であり、複数の仕切り壁３２０は、複数の筒状部３１０の中心軸を中心とする放射状に延在している。
【０１３３】
これにより、フード部３の高さを一層低くすることができる。よって、フード部３を前方開口部１１１内に収めやすくなり、照明器具１の見栄えの悪化を一層抑制することができる。また、フード部３の高さが一層低くなることにより、光束の低下を一層抑制することができる。また、複数の仕切り壁３２０が放射状に設けられているので、グレアカット角の角度依存性を抑えることができる。すなわち、照明器具１を見る場所によらずに、所望のグレアカット角で略均一にすることができる。
【０１３４】
また、例えば、複数の仕切り壁３２０は、出射方向に略平行である。
【０１３５】
これにより、光源部２０からの照明光がフード部３を通り抜ける際に、仕切り壁３２０によって遮られる光の量を少なくすることができるので、光束の低下を抑制することができる。
【０１３６】
また、例えば、フード部３は、弾性変形する材料から形成され、フード部３の光出射側の端面３０１は、光源部２０側に凹んでいる。
【０１３７】
これにより、フード部３が弾性変形する材料から形成されているので、フード部３を撓ませることができる。例えば、フード部３を灯体２に取り付ける際に、フード部３の中央部が凹むように撓ませることで、前方開口部１１１への挿入及び取り付けを容易に行うことができる。このとき、フード部３の高さが抑えられているので、フード部３を容易に撓ませることができ、取付性を格段に向上させることができる。
【０１３８】
また、例えば、複数の筒状部３１０のうち内側の一の筒状部３１０の高さは、最外の筒状部３１１の高さより低く、複数の仕切り壁３２０のうち内側の一の仕切り壁３２０の高さは、最外の仕切り壁３２１の高さより低い。
【０１３９】
これにより、内側の筒状部３１０及び内側の仕切り壁３２０の高さが低いので、フード部３の中央部が凹むように容易に撓ませることができる。したがって、前方開口部１１１への挿入及び取り付けを一層容易に行うことができる。
【０１４０】
また、例えば、複数の筒状部３１０の各々の高さは、内側の筒状部である程、低く、複数の仕切り壁３２０の各々の高さは、内側の仕切り壁である程、低い。
【０１４１】
これにより、内側の筒状部３１０である程、かつ、内側の仕切り壁３２０である程、各々の高さが低いので、フード部３の中央部が凹むように容易に撓ませることができる。したがって、前方開口部１１１への挿入及び取り付けを一層容易に行うことができる。
【０１４２】
また、例えば、フード部３の光出射側の端面３０１は、中心に向かって傾斜している。
【０１４３】
これにより、フード部３の見栄えを向上させることができる。
【０１４４】
また、例えば、フード部３の光出射側の端面３０１の傾斜角は、一定、又は、連続的に変化している。
【０１４５】
これにより、フード部３の見栄えを向上させることができる。
【０１４６】
また、例えば、灯体２は、さらに、前方開口部１１１の内部に設けられた被係止部５６を有し、フード部３は、弾性変形する材料から形成され、さらに、フード部３の外周面から外方に突出し、被係止部５６に係止された鍔部３３０を備える。
【０１４７】
これにより、フード部３の弾性変形を利用して、フード部３を簡単に着脱することができる。例えば、フード部３を前方開口部１１１に押し込むだけ（ワンタッチ）で、取り付けることができる。また、鍔部３３０を弾性変形の復元力によって被係止部５６に圧接させることで、フード部３をより強固に灯体２に保持させることができる。
【０１４８】
本実施の形態では、所望のグレアカット角が３５度である例について示したが、これに限らない。所望のグレアカット角が３５度より短い場合は、フード部３の高さをより低くすることができる。また、所望のグレアカット角が３５度より大きい場合は、フード部３の高さを高くする、あるいは、複数の筒状部３１０又は複数の仕切り壁３２０の個数（枚数）を増やすことで、フード部３の高さを抑えることができる。
【０１４９】
また、本実施の形態に係る照明器具１は、スポットライトに限らず、ダウンライトなどの天井埋込型照明器具でもよい。例えば、灯体２（器具本体部１０）が可動式であり、光の出射方向を変更可能なダウンライトが知られている（例えば、特許文献３）。
【０１５０】
この種の可動式のダウンライトは、天井などの取付面に設けられた孔に取り付けられる枠体部と、光源部を備える器具本体部とを備える。器具本体部は、枠体部内で回動可能に固定されている。
【０１５１】
このとき、従来のように、全長が長いフードを利用した場合、フードと枠体部とが干渉し、器具本体部の回動が制限されるという問題がある。すなわち、枠体部内の空間が狭いので、長いフードは取り付けることができず、あるいは、取り付けることができたとしても器具本体部の回動が制限されて所望の光出射方向を実現することができない。
【０１５２】
これに対して、本実施の形態に係るフード部３は、高さが低いので、前方開口部１１１内に収まるように配置することができる。したがって、枠体部などの他の構成部材と干渉するのを抑制することができる。
【０１５３】
（変形例）
上記の実施の形態に係る照明器具１では、フード部３の光出射側の端面３０１が光源部２０側に凹んでいる例について示したが、フード部３の形状はこれに限らない。以下では、上記の実施の形態に係る照明器具１の変形例について、図１３を用いて説明する。
【０１５４】
図１３は、本変形例に係る照明器具１ａの一部を示す断面図である。具体的には、図１３は、図２に示すＶ−Ｖ線に相当する断面を示している。
【０１５５】
図１３に示すように、本変形例に係る照明器具１ａは、図５に示す実施の形態に係る照明器具１と比較して、フード部３の代わりに、フード部３ａを備える点が異なっている。その他の点については、上記の実施の形態と同じであるので、以下では説明を省略する。
【０１５６】
図１３に示すように、フード部３ａでは、複数の筒状部３１０ａの光出射側の端面、及び、器具本体部１０の前方開口部１１１の端面は、略面一である。つまり、上記の実施の形態に係るフード部３のように、光源部２０側に凹んでいなくてもよい。
【０１５７】
この場合、筒状部３１２ａ及び３１３ａの高さが筒状部３１１の高さと同じになる。つまり、筒状部３１２ａ及び３１３ａの高さが、実施の形態に係る筒状部３１２及び３１３より高くなるので、グレアカット角をより大きくすることができる。
【０１５８】
（その他）
以上、本発明に係る照明器具について、上記実施の形態及びその変形例に基づいて説明したが、本発明は、上記の実施の形態に限定されるものではない。
【０１５９】
例えば、上記の実施の形態では、フード部３の筒状部３１０の形状が円筒状である例について示したが、これに限らない。例えば、セード１１０が角筒である場合など、筒状部３１０の形状は角筒状でもよい。また、筒状部３１０は、径が略均一の直筒状ではなく、径が漸増又は漸減する漏斗状の筒体、又は、円錐台若しくは角錐台状の筒体でもよい。
【０１６０】
また、例えば、上記の実施の形態では、複数の仕切り壁３２０が平板である例について示したが、これに限らない。複数の仕切り壁３２０は湾曲板でもよい。例えば、複数の仕切り壁３２０は、光軸Ｊを中心として螺旋の放射状に配置されてもよい。
【０１６１】
また、例えば、上記の実施の形態では、複数の仕切り壁３２０が光軸Ｊに平行な例について示したが、これに限らない。複数の仕切り壁３２０は、光軸Ｊに対して一定の角度で傾斜していてもよい。あるいは、傾斜の角度は、光源部２０から離れるにつれて大きく、又は、小さくなってもよい。
【０１６２】
また、例えば、上記の実施の形態では、フード部３の端面３０１が傾斜している例について示したが、これに限らない。端面３０１は、光出射面４２に対して平行でもよい。例えば、仕切り壁３２１の高さは、中央の筒状部３１２の高さｈ２と同じであり、仕切り壁３２２の高さは、最内の筒状部３１３の高さｈ３と同じでもよい。これにより、フード部３の端面３０１を、光源部２０側に階段状に凹ませることができる。なお、仕切り壁３２１の高さは、最外の筒状部３１２の高さｈ１と同じ、又は、ｈ１とｈ２との平均値などでもよい。仕切り壁３２２の高さは、中央の筒状部３１２の高さｈ２と同じ、又は、ｈ２とｈ３との平均値などでもよい。
【０１６３】
また、例えば、上記の実施の形態では、フード部３が弾性変形する材料から形成される例について示したが、これに限らない。フード部３は、弾性変形しない剛性を有する材料から形成されてもよい。例えば、フード部３は、金属材料から形成されてもよい。
【０１６４】
また、例えば、上記の実施の形態では、フード部３の最内の筒状部３１３の筒内が中空、すなわち、仕切り壁などが設けられていない例について示したが、これに限らない。例えば、最内の筒状部３１３の筒内にも仕切り壁を設けてもよい。このとき、例えば、複数の仕切り壁が、中心軸（光軸Ｊ）から放射状に筒状部３１３の筒内に設けられてもよい。
【０１６５】
また、例えば、上記の実施の形態では、フード部３が３つの筒状部３１０と、６つの仕切り壁３２１と、６つの仕切り壁３２２とを備える例について示したが、これに限らない。フード部３が備える筒状部３１０及び仕切り壁３２０の個数（枚数）は、複数であればよく、例えば、筒状部３１０の個数は２つのみ又は４つ以上でもよい。
【０１６６】
また、例えば、上記の実施の形態では、フード部３が前方開口部１１１内に収まるように、すなわち、前方開口部１１１から光出射方向に突出しないように設けられている例について示したが、これに限らない。フード部３の一部は、前方開口部１１１から光出射方向に突出していてもよい。例えば、最外の筒状部３１１の高さｈ１が、光出射面４２から前方開口部１１１の端面までの長さより長くてもよい。
【０１６７】
また、例えば、上記の実施の形態では、フード部３を保持するための被係止部５６を光制御部材５０が備える例について示したが、これに限らない。灯体２が被係止部を備えていればよい。例えば、セード１１０が被係止部を備えてもよい。例えば、セード１１０の内面に溝が被係止部として設けられ、フード部３の鍔部３３０が当該溝に嵌め込まれてもよい。セード１１０、光制御部材５０に限らず、光学部材４０、本体１２０などが被係止部を備えてもよい。
【０１６８】
また、例えば、上記の実施の形態では、光源部２０がＣＯＢ型の発光モジュールである例について示したが、これに限らない。光源部２０は、ＳＭＤ（Ｓｕｒｆａｃｅ  Ｍｏｕｎｔ  Ｄｅｖｉｃｅ）型のＬＥＤが基台２１に実装された発光モジュールでもよい。また、光源部２０としては、有機ＥＬ（Ｅｌｅｃｔｒｏ  Ｌｕｍｉｎｅｓｃｅｎｃｅ）素子、半導体レーザ素子などを用いてもよい。あるいは、光源部２０は、蛍光ランプでもよい。
【０１６９】
また、例えば、上記の実施の形態では、照明器具１がスポットライト又はダウンライトである例について示したが、これに限らない。照明器具１は、シーリングライト、デスクスタンド、ブラケットライトなどいかなる照明器具でもよい。
【０１７０】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１７１】
１、１ａ  照明器具
２  灯体
３、３ａ  フード部
１０  器具本体部
２０  光源部
３０  反射部材
４０  光学部材
５０  光制御部材
５６  被係止部
１１１  前方開口部（開口部）
３０１  端面
３１０、３１０ａ、３１１、３１２、３１２ａ、３１３、３１３ａ  筒状部
３２０、３２１、３２２  仕切り壁
３３０  鍔部
【図１】
2017033804.tif 000003
【図２】
2017033804.tif 000004
【図３】
2017033804.tif 000005
【図４】
2017033804.tif 000006
【図５】
2017033804.tif 000007
【図６】
2017033804.tif 000008
【図７】
2017033804.tif 000009
【図８】
2017033804.tif 000010
【図９】
2017033804.tif 000011
【図１０】
2017033804.tif 000012
【図１１】
2017033804.tif 000013
【図１２】
2017033804.tif 000014
【図１３】
2017033804.tif 000015